(57)【要約】【課題】釣糸放出時に釣糸案内体で糸抵抗の軽減が図れる魚釣用リールを提供する。【解決手段】魚釣用リールは、釣糸が巻回されるスプールを釣糸放出状態と釣糸巻き取り状態に切り換えるクラッチ機構２０と、スプールから繰り出される釣糸を挿通させ、左右側板間で往復移動するとともに、左右方向に幅広の開口部と左右方向に幅狭の釣糸案内部とを備え、釣糸放出状態では釣糸が幅広の開口部に位置し、釣糸巻き取り状態では釣糸が幅狭の釣糸案内部に位置するように移動可能に保持された釣糸案内体６０と、釣糸放出状態のとき、釣糸案内体６０を、幅広の開口部の位置が変わるように変位させる変位機構８０と、を有する。【選択図】図３
2014060955.tif 000002
【特許請求の範囲】
【請求項１】
リール本体の左右側板間に回転自在に支持されたスプールと、
前記スプールを釣糸放出状態と釣糸巻き取り状態に切り換えるクラッチ機構と、
前記スプールから繰り出される釣糸を挿通させ、前記左右側板間で往復移動するとともに、左右方向に幅広の開口部と左右方向に幅狭の釣糸案内部とを備え、釣糸放出状態では釣糸が幅広の開口部に位置し、釣糸巻き取り状態では釣糸が幅狭の釣糸案内部に位置するように移動可能に保持された釣糸案内体と、
前記釣糸放出状態のとき、前記釣糸案内体を、前記幅広の開口部の位置が変わるように変位させる変位機構と、
を有することを特徴とする魚釣用リール。
【請求項２】
前記釣糸案内体は、前記クラッチ機構と連動しており、前記クラッチ機構がＯＦＦになったとき、釣糸が幅狭の釣糸案内部から幅広の開口部に移動し、前記クラッチ機構がＯＮになったとき、釣糸が幅広の開口部から幅狭の釣糸案内部に移動するように切り換えられることを特徴とする請求項１に記載の魚釣用リール。
【請求項３】
前記変位機構は、前記釣糸案内体を駆動する駆動部を有しており、
前記駆動部は、前記スプールに巻回されている釣糸の放出に伴うスプールの回転情報信号に基づいて、前記釣糸案内体を変位させることを特徴とする請求項１又は２に記載の魚釣用リール。
【請求項４】
前記駆動部は、前記クラッチ機構のＯＮ／ＯＦＦ状態を検知可能なクラッチＯＮ／ＯＦＦ検出装置からの信号に基づいて、前記釣糸案内体の位置を切り換えることを特徴とする請求項３に記載の魚釣用リール。
【請求項５】
前記釣糸案内体は、前記クラッチ機構がＯＦＦからＯＮになったとき、釣糸に当て付いて釣糸を前記幅狭の釣糸案内部に位置させる規制部を有することを特徴とする請求項１から４のいずれか１項に記載の魚釣用リール。
【発明の詳細な説明】
【技術分野】
【０００１】
本発明は、スプール前方の側板間に、スプールに釣糸を平行に巻回案内する釣糸案内体を備えた魚釣用リールに関する。
【背景技術】
【０００２】
従来、両軸受型タイプの魚釣用リールには、左右側板間に回転可能に支持されたスプールに対して釣糸を均等に巻回するようにレベルワインド装置が配設されている。このレベルワインド装置は、例えば、特許文献１に開示されているように、一方の側板側に回転可能に配設されたハンドルの巻き取り操作に連動して、スプール前方で左右に往復動する釣糸案内体を備えており、前記釣糸案内体に釣糸が挿通されることで、スプールに対して釣糸を平行に巻回する。
【０００３】
上記した構成の魚釣用リールでは、クラッチ機構をＯＦＦ操作してスプールをフリー回転状態に切り換えることで、スプールに巻回された釣糸は、前記釣糸案内体を通して放出されることになるが、スプールに巻回されている釣糸放出端と釣糸案内体との間の距離が近いと、釣糸放出時に糸抵抗が発生し易く、仕掛けの飛距離が低下してしまう（船釣りでは、仕掛けの落下速度が低下してしまう）。加えて、釣糸案内体は、スプールに対して均等に釣糸を巻回できるように、比較的、幅狭に形成されていることから、釣糸放出時の糸抵抗が大きくなり易い。
【０００４】
そこで、例えば、特許文献２には、クラッチ機構と連動する操作部材を反ハンドル側に設け、釣糸放出時に、この操作部材を前方に倒すことで、クラッチ機構をＯＦＦにすると同時に、外端に拡大した円形部を有する釣糸案内体を前方に回動させて、釣糸放出時の糸抵抗の軽減が図れる魚釣用リールが開示されている。
【先行技術文献】
【特許文献】
【０００５】
【特許文献１】実公昭６２−９８１０号
【特許文献２】特公昭３９−１１０３０号
【発明の概要】
【発明が解決しようとする課題】
【０００６】
上記した特許文献２に開示されている魚釣用リールの釣糸案内体は、上方部が拡大した円形状に形成され、下方部は幅狭状に形成されている。このため、釣糸放出時に、釣糸の繰り出し量に伴って糸巻径が小さくなるに連れ、釣糸案内体を通る釣糸の位置が下方に移行する（拡大した円形部から次第に幅狭部に移行する）ようになり、釣糸案内体に対する接触抵抗が次第に大きくなってしまう。すなわち、キャスティング操作時では、飛距離が伸びなくなってしまい、船釣りの仕掛け落下時では、次第に落下速度が低下して、所定の棚への到達が遅れてしまう。
【０００７】
本発明は、上記した問題に着目してなされたものであり、釣糸放出時に釣糸案内体部分で糸抵抗の軽減が図れる魚釣用リールを提供することを目的とする。
【課題を解決するための手段】
【０００８】
上記した目的を達成するために、本発明に係る魚釣用リールは、リール本体の左右側板間に回転自在に支持されたスプールと、前記スプールを釣糸放出状態と釣糸巻き取り状態に切り換えるクラッチ機構と、前記スプールから繰り出される釣糸を挿通させ、前記左右側板間で往復移動するとともに、左右方向に幅広の開口部と左右方向に幅狭の釣糸案内部とを備え、釣糸放出状態では釣糸が幅広の開口部に位置し、釣糸巻き取り状態では釣糸が幅狭の釣糸案内部に位置するように移動可能に保持された釣糸案内体と、前記釣糸放出状態のとき、前記釣糸案内体を、前記幅広の開口部の位置が変わるように変位させる変位機構と、を有することを特徴とする。
【０００９】
上記した構成の魚釣用リールによれば、移動可能に保持された釣糸案内体が、釣糸放出状態（クラッチＯＦＦ状態）では、釣糸が左右方向に幅広の開口部に位置することから、釣糸放出抵抗の軽減が図られ、釣糸巻き取り状態（クラッチＯＮ状態）では、釣糸が左右方向に幅狭の釣糸案内部に位置することから、スプールに対する釣糸の巻き取り状態の向上が図られる。そして、クラッチＯＦＦ状態（釣糸放出状態）のとき、前記変位機構によって、前記釣糸案内体は、挿通する釣糸に対する幅広の開口部の位置が変えられるため、釣糸放出時では、釣糸案内体からの糸抵抗が少ない状態に維持することが可能となり、仕掛けの飛距離を低下させたり、仕掛けの落下速度を低下させることがなくなる。
【００１０】
なお、上記した構成において、釣糸案内体を変位させる変位機構は、例えば、駆動モータやアクチュエータ等、電気的に釣糸案内体を変位させるものであっても良いし、機械的な構造によって手動で釣糸案内体を変位させるものであっても良い。また、釣糸案内体については、クラッチ機構と連結されて（機械的な連結、電気的な連結を含む）、クラッチ機構と連動するように構成されていても良いし、クラッチ機構とは関係なく、独自に移動、変位するような構成であっても良い。
【発明の効果】
【００１１】
本発明によれば、釣糸放出時に釣糸案内体部分で糸抵抗の軽減が図れる魚釣用リールが得られる。
【図面の簡単な説明】
【００１２】
【図１】本発明に係る魚釣用リールの一実施形態を示し、釣糸案内体部分を露出させた平面図。
【図２】図１に示す魚釣用リールの平面図。
【図３】図１に示す魚釣用リールにおいて、クラッチ機構の動力伝達部分の構成を示す側面図（クラッチＯＮ状態）。
【図４】図１に示す魚釣用リールにおいて、クラッチ機構の動力伝達部分の構成を示す側面図（クラッチＯＦＦ状態）。
【図５】釣糸案内体を変位させる変位機構部分の構造を示す断面図。
【図６】図１に示す魚釣用リールのＡ−Ａ線に沿った断面図であり、釣糸案内体が釣糸巻き取り状態（クラッチＯＮ状態）にあるときを示す図。
【図７】図１に示す魚釣用リールのＡ−Ａ線に沿った断面図であり、釣糸案内体が釣糸放出状態（クラッチＯＦＦ状態）にあるときを示す図。
【図８】釣糸案内体の駆動系を説明するブロック図。
【図９】釣糸案内体を拡大して示す斜視図（クラッチＯＮ状態）。
【図１０】図９に示す釣糸案内体の正面図。
【図１１】釣糸案内体を拡大して示す斜視図（クラッチＯＦＦ状態）。
【図１２】図９に示す釣糸案内体の正面図。
【発明を実施するための形態】
【００１３】
以下、図面を参照しながら本発明に係る魚釣用リールについて説明する。  
図１から図４は、本発明に係る魚釣用リールの一実施形態を示す図であり、図１は、釣糸案内体部分を露出させた平面図、図２は、図１に示す魚釣用リールの平面図、図３は、クラッチ機構の動力伝達部分の構成を示す側面図（クラッチＯＮ状態）、そして、図４は、クラッチ機構の動力伝達部分の構成を示す側面図（クラッチＯＦＦ状態）である。なお、以下において、前後方向、左右方向、及び上下方向は、図１および図３で示す方向で定義する。
【００１４】
本実施形態に係る魚釣用リールは、船釣り用に適した形態となっており、左右のフレーム２ａ，２ｂを左右カバー３ａ，３ｂで覆った左右側板１Ａ，１Ｂを備えたリール本体１を有している。前記リール本体１には、左右側板間に位置し、図示しない釣竿に装着されるリール脚１Ｃが一体形成されている。また、前記左右のフレーム２ａ，２ｂ間には、スプール軸５が軸受を介して回転可能に支持されており、スプール軸５には、釣糸が巻回されるスプール５Ａが一体的に固定されている。さらに、前記左右のフレーム２ａ，２ｂ間のスプール前方の上方には、表示装置１００が設けられており、内部に設置された制御部９０（図８参照）の表示制御によって、液晶表示部１００ａには、釣糸の繰り出し量、時間情報等、各種の情報が表示されるようになっている。
【００１５】
本実施形態では、前記スプール５Ａを回転駆動するハンドル８を右側板１Ｂ側に設置しており、右フレーム２ｂと右カバー３ｂとの間の空間には、ハンドル８の回転駆動力をスプール軸５に伝達する公知の動力伝達機構１０が配設されている。また、右フレーム２ｂと右カバー３ｂとの間には、スプール軸５を動力伝達状態と動力遮断状態に切り換える公知のクラッチ機構２０が配設されており、このクラッチ機構２０は、スプール５Ａの後方側の左右側板間に配設されたクラッチ切り換え操作部材（以下、操作部材と称する）２１を押し下げ操作することで、クラッチＯＮ状態（動力伝達状態であり釣糸巻き取り状態）からＯＦＦ状態（動力遮断状態であり釣糸放出状態）に切り換えるようになっている。
【００１６】
前記左右の側板１Ａ，１Ｂ間には、スプール５Ａの釣糸繰出し方向側に、レベルワインド装置５０が配設されている。このレベルワインド装置５０は、前記ハンドル８を回転操作することで、釣糸を挿通する釣糸案内体６０が左右に往復移動するよう構成されており、釣糸の巻き取り操作に伴って、スプール５Ａに対して釣糸を均等に巻回する機能を有する。
【００１７】
前記駆動力伝達機構１０は、ハンドル８が固定されたハンドル軸８ａにドラグ機構と関連して回転可能に装着された駆動歯車１１と、この駆動歯車１１に噛合するピニオン１２とを備えている。前記ピニオン１２は、スプール軸５と同軸上に設置されており、ピニオン軸（スプール軸であっても良い）１２ａに沿って軸方向に移動可能となっている。また、ピニオン１２の外周には、円周溝１２ｂが形成されており、この円周溝１２ｂに、後述するクラッチ機構２０のヨーク２２が係合して、ピニオン１２を軸方向に移動させるようになっている。すなわち、ピニオン１２が軸方向に移動することで、スプール軸５との間で継脱がなされ、動力伝達状態（クラッチＯＮ状態）／動力遮断状態（クラッチＯＦＦ状態）に切り換えられるようになっている。
【００１８】
前記クラッチ機構２０は、右フレーム２ｂに対して回動可能に支持され、振り分けバネ２３によって、図３に示す動力伝達状態（クラッチＯＮ状態）と、図４に示す動力遮断状態（クラッチＯＦＦ状態）に振り分け保持されるクラッチプレート２５を備えている。このクラッチプレート２５は、右フレーム２ｂに上下方向に形成された連結孔２ｄを介して前記操作部材２１と連結されており、クラッチプレート２５に形成された長孔２５ａに、右フレーム２ｂに突出するように設けられたピン２ｅが挿入されて、その回動駆動が案内されるようになっている。
【００１９】
前記クラッチプレート２５の表面には、公知のように、前記ピニオン１２の円周溝１２ａに係合したヨーク２２と係合可能な一対のカム面２６が形成されている。前記ヨーク２２の先端側は、右フレーム２ｂに突設された支持ピン２７によって保持されており、ヨークは、各支持ピンに配設されたバネ部材（図示せず）によって常時、クラッチプレート２５側に付勢された状態となっている。なお、図３は、図１（図２）に示すヨーク２２がバネ部材によってクラッチプレート２５側に付勢された状態を示しており、このとき、ピニオン１２はスプール軸の端部に形成されている係合部に嵌合してクラッチＯＮ状態となっている。
【００２０】
前記クラッチプレート２５は、操作部材２１が、図３の矢印に示すように押下げ操作されると反時計回り方向に回動され、前記カム面、及びヨークを介して、ピニオン１２をスプール軸の端部に形成されている係合部から離脱させ、図４に示すように、クラッチＯＦＦ状態に切り換える。なお、この状態は、前記振り分けバネ２３によって保持される。
【００２１】
前記クラッチプレート２５には、クラッチをＯＦＦ状態からＯＮ状態にする自動復帰機構３０が設けられている。この自動復帰機構３０は、クラッチプレートに一体的に設けられるキック部材３１と、前記ハンドル軸８ａに回り止め固定されるラチェット３２とを備えており、前記キック部材３１は、クラッチＯＮからクラッチＯＦＦに切り換えると、図４に示すように、ラチェット３２の回転軌跡内に侵入するように配置、構成されている。このため、クラッチＯＦＦ状態において、前記ハンドル８を巻き取り操作すると、ラチェット３２の回転により、キック部材３１はキックされ、自動的にクラッチプレート２５をクラッチＯＮ状態の位置に復帰させて、振り分けバネ２３のバネ力で保持される。なお、クラッチの復帰は、前記操作部材２１を押し上げ操作しても行うことが可能である。
【００２２】
前記スプール５Ａの前方側の左右側板間には、前記レベルワインド装置５０が配置されており、このレベルワインド装置５０は、スプール５Ａに巻回された釣糸を挿通させ、前記左右側板間で往復移動する釣糸案内体６０を備えている。この釣糸案内体６０は、釣糸巻き取り状態（クラッチＯＮ状態）では、左右に往復駆動され、釣糸放出状態（クラッチＯＦＦ状態）では、変位機構８０によって、スプール５Ａに巻回されている釣糸の巻回量に応じて前方に変位（回動）するよう構成されている。
【００２３】
以下、レベルワインド装置５０の構成、及び変位機構８０の構成について、図５から図１２を併せて参照しながら説明する。なお、これらの図において、図５は、釣糸案内体を変位させる変位機構部分の構造を示す断面図、図６は、図１に示す魚釣用リールのＡ−Ａ線に沿った断面図であり、釣糸案内体が釣糸巻き取り状態（クラッチＯＮ状態）にあるときを示す図、図７は、図１に示す魚釣用リールのＡ−Ａ線に沿った断面図であり、釣糸案内体が釣糸放出状態（クラッチＯＦＦ状態）にあるときを示す図、図８は、釣糸案内体の駆動系を説明するブロック図、図９は、釣糸案内体を拡大して示す斜視図（クラッチＯＮ状態）、図１０は、図９に示す釣糸案内体の正面図、図１１は、釣糸案内体を拡大して示す斜視図（クラッチＯＦＦ状態）、そして、図１２は、図１１に示す釣糸案内体の正面図である。
【００２４】
前記レベルワインド装置５０は、スプール５Ａに巻回された釣糸Ｓを挿通させる釣糸案内体６０を備えており、この釣糸案内体６０は、軸受５２（図５参照）を介して左右側板間に回転可能に支持され、前記駆動力伝達機構１０を介して回転可能に駆動される螺軸（ウォームシャフト）５１によって、左右往復駆動されるよう構成されている。すなわち、前記螺軸５１の右フレーム側には、前記ハンドル軸８ａに装着された駆動歯車１１と隣接して配設されてハンドル軸８ａと一体的に回転する連結ギア（図示せず）と噛合する入力ギア５３が設けられており、前記螺軸５１は、連結ギア及び入力ギア５３を介してハンドル８の回転駆動と同期して回転駆動されるようになっている。
【００２５】
前記螺軸５１は、左右側板間に回動可能に保持される管状体（筒体）５５内に収容された状態となっており、前記管状体５５の外面には、軸方向に延出する長孔５５ａが形成され、前記螺軸５１の表面に形成された螺旋溝５１ａを軸方向に沿って部分的に露出させている。また、前記釣糸Ｓを挿通させる釣糸案内体６０は、釣糸挿通部６０Ａと保持部６０Ｂを一体的に備えており、前記保持部６０Ｂが前記管状体５５を囲繞するように、配置、形成されている。
【００２６】
前記保持部６０Ｂは、その内部に、前記長孔５５ａを介して螺旋溝５１ａと係合する摺動子６１を保持している。この摺動子６１は、袋ナット６２によって、前記保持部６０Ｂに対して固定される。また、前記釣糸案内体６０は、螺軸５１の回転によって、螺旋溝５１ａと摺動子６１との係合関係によって、軸方向に沿って移動しつつ、管状体５５の回りを回転しないように、回り止めされている。本実施形態の構成では、前記管状体５５の外周に、軸方向に沿って延出する回り止め部５５ｂを形成しており、回り止め部５５ｂに対して、保持部６０Ｂの係合部６４を係合させることで、回り止めを果たしている。具体的には、回り止め部５５ｂは、管状体５５の外周に、軸方向に延出する突起（図６，図７に示すように、１８０°間隔で一対設けられている）として構成されており、係合部６４は、そのような突起に入り込む凹部として構成されている。
【００２７】
上記のように、螺軸５１を収容する管状体５５に回り止め部５５ｂを一体形成することで、従来のように、釣糸案内体６０を回り止めするガイド軸を配設する必要がなくなり、レベルワインド装置の構造を簡素化することが可能となる。
【００２８】
また、本実施形態の釣糸案内体６０は、左右側板間で往復駆動されることに加え、前後方向に回動可能に構成されている。この場合、本実施形態の釣糸案内体６０は、変位機構８０によって前後方向に回動駆動されるようになっている。
【００２９】
ここで、変位機構８０の構成について具体的に説明する。  
変位機構８０は、前記右フレーム２ｂに装着された駆動モータ（駆動部）８１と、前記右フレーム２ｂに装着され、前記螺軸５１が支持される部分に回動可能に保持される回動プレート８２とを備えている。前記回動プレート８２は、図５に示すように、前記螺軸５１を回転可能に支持する軸受５２の外輪と右フレーム２ｂとの間で回動可能に保持されており、前記管状体５５は、右フレーム２ｂの内面側において、回動プレート８２と回り止め固定されている。すなわち、回動プレート８２には、径方向に突出する凸部８２ａが形成されており（本実施形態では、１８０°間隔で一対形成されている）、この凸部８２ａに、管状体５５の端部に形成された凹部５５ｃが嵌合することで、両者は、右フレーム２ｂの内面側で固定された状態（一体回動可能な状態）となっている。
【００３０】
前記回動プレート８２には、右フレーム２ｂの外面側に沿うようにして、円弧状の連結片８２ｂが形成されており、この連結片８２ｂには、前記駆動モータ８１の出力軸８１ａに固定された出力ギア８１ｂと噛合する伝達ギア８２ｃが形成されている。
【００３１】
これにより、回動プレート８２は、駆動モータ８１が駆動されることで、出力ギア８１ｂ及び伝達ギア８２ｃの噛合関係を介して、所定の範囲、回動駆動され、前記回動プレート８２に一体的に固定された管状体５５と共に、前記釣糸案内体６０は、スプールの前方において前後方向（本実施形態では、前方がクラッチＯＦＦ側、後方がクラッチＯＮ側とされる）に回動駆動されるようになっている。
【００３２】
なお、駆動モータ８１は、図８に示すように、スプールの釣糸巻回量に基づいて駆動モータの回転駆動を制御するプログラムを格納した制御部９０からの駆動信号に基づいて駆動される。この場合、本実施形態では、前記制御部９０には、スプール５Ａに巻回されている釣糸の巻回量（放出量）を検出する糸長計測装置９２（図１、図２参照）からの巻回量信号（スプールの回転情報信号）が入力されて、クラッチＯＦＦ状態になったとき、釣糸の巻回量（釣糸放出量）に基づいて駆動モータ８１の駆動が制御されるようになっている。この糸長計測装置９２は、例えば、公知のように、スプール軸と共に回転駆動される磁石９２ａと、この磁石９２ａの磁界を検知する磁気センサ９２ｂとを備えた構成となっており、磁気センサ９２ｂからの検知信号が制御部９０に入力されることで、制御部９０は、駆動モータ８１の駆動を制御する。
【００３３】
また、本実施形態では、前記制御部９０には、前記クラッチ機構２０のＯＮ／ＯＦＦを検知するクラッチＯＮ／ＯＦＦ検出装置９４（図３、図４参照）からのクラッチＯＮ／ＯＦＦ信号が入力され、クラッチ機構２０がＯＮからＯＦＦにされたとき、及び、ＯＦＦからＯＮにされたとき駆動モータ８１の駆動を制御するようにしている。このクラッチＯＮ／ＯＦＦ検出装置９４は、例えば、公知のように、クラッチプレートに装着された磁石９４ａと、この磁石９４ａの磁界を検知する磁気センサ９４ｂとを備えており、クラッチ機構が切り換えられて磁気センサ９４ｂからの検知信号が制御部９０に入力されることで、制御部９０は、駆動モータ８１の駆動を制御する。
【００３４】
すなわち、本実施形態の釣糸案内体６０は、クラッチ機構２０と連動して回動駆動されるとともに、クラッチＯＦＦ時における釣糸放出状態では、スプール５Ａに対する釣糸巻回量に応じて回動駆動される（釣糸案内体６０の幅広の開口部６８の位置が変わるように変位される）ようになっている。なお、上記した糸長計測装置９２やクラッチＯＮ／ＯＦＦ検出装置９４は、磁気センサ以外に、超音波センサ、光センサ、機械的なセンサ等によって構成することが可能である。
【００３５】
前記釣糸案内体６０の釣糸挿通部６０Ａは、スプール５Ａからの釣糸を挿通させる部分であり、ＳＵＳ、チタン等の釣糸抵抗が少ない材料によるフレーム体６０Ｆとして構成されており、図９から図１２に示すように、前記保持部６０Ｂと共に一体形成されている。具体的には、左右方向に幅狭（細溝状）となった釣糸案内部６７と、その釣糸案内部６７の上方側で、略対称となるように左右方向に拡がる幅広の開口部６８とを備えている。この場合、開口部６８は、図１２に示すように、釣糸放出状態となったときの正面視（挿通される釣糸Ｓに沿って前方から見た正面視）で、左右方向に拡がる略楕円形状となるように形成されており、幅狭の釣糸案内部６７に対して相対的に幅広となるように形成されている。また、開口部６８の両サイド壁は、その略中央の下部に形成される釣糸案内部６７に向けて傾斜して釣糸Ｓを案内する傾斜案内面６８ａとなっている。
【００３６】
前記開口部６８を有するフレーム体６０Ｆは、釣糸放出状態で側面視した際、前後方向に対して傾斜した状態（後方側に向けて次第に立ち上がる形状）となっており、開口部６８を規定する上壁６８ｂは、釣糸放出状態では、前後方向に沿った状態となって（図７及び図１１参照）、可能な限り広い開口を確保できるようになっている。したがって、開口部６８を規定する前後方向に沿った上壁６８ｂの後端縁６９は、釣糸放出状態から釣糸巻き取り状態に回動した際、開口部６８内に挿通されている釣糸Ｓに対して、上側から当接できる位置関係となっており、釣糸Ｓを規制する規制部としての機能を有する（以下、後端縁を規制部６９と称する）。
【００３７】
なお、規制部６９は、フレーム体６０Ｆとして一体形成される部分であり、釣糸案内体６０が釣糸放出状態（クラッチＯＦＦ）から釣糸巻き取り状態（クラッチＯＮ）に回動した状態で正面視した際（図１０に示すように、釣糸Ｓに沿って前方から見た際）、前記釣糸案内部６７の上下長さＬの範囲内となるような配置関係となっていれば良い。すなわち、このような配置関係となっていれば、釣糸案内体６０が、釣糸放出状態から釣糸巻き取り状態に回動すると、開口部６８のいずれかの部分に位置する釣糸Ｓは、規制部６９によって押し付けられ、傾斜案内面６８ａに沿って確実に釣糸案内部６７に案内することが可能となる。また、このような位置関係となっていれば、釣糸巻き取り状態で、釣糸Ｓを確実に釣糸案内部６７から離脱しないようにすることができる。
【００３８】
前記左右方向に幅狭となった釣糸案内部６７は、上下方向に延出しており、そこに入り込んだ釣糸Ｓの左右方向のブレを防止して、スプール５Ａに対して、安定して釣糸を平行巻きする機能（糸巻状態を向上する機能）を有する。
【００３９】
なお、上記した構成において、釣糸案内部６７を規定する両壁６７ａは、図６及び図７に示すように、前記摺動子６１を固定する袋ナット６２の上方を覆うように伸びていることが好ましく、このような構成により、釣糸案内部６７に入り込んでいる釣糸が、前記袋ナット６２の部分で絡むことを効果的に防止することが可能となる。また、釣糸案内部６７の底面６７ｃは、図６に示す釣糸巻き取り状態において、前方に向けて次第に下方向に傾斜する傾斜面となっていることが好ましい。すなわち、このような底面形状にすることにより、スプールから傾斜した状態で繰り出される釣糸との摩擦抵抗の低減が図れるようになる。
【００４０】
次に、上述したように構成される魚釣用リールの作用、及び効果について説明する。  
図３及び図６に示すクラッチＯＮ状態において、スプール５Ａの後方側に位置する操作部材２１を押し下げ操作すると、前記クラッチ機構２０を構成するクラッチプレート２５は、反時計回りに回動され、振り分けバネ２３によって、図４に示す状態に保持される。このとき、クラッチプレート２５の表面に形成されたカム面がヨークを軸方向にシフトさせ、ピニオン１２をスプール軸５から離脱させる（クラッチＯＦＦ状態）。
【００４１】
また、クラッチ機構２０がＯＦＦにされると、クラッチＯＮ／ＯＦＦ検出装置９４がこれを検知し、制御部９０は、このクラッチＯＦＦ信号が入力されることで、駆動モータ８１を回転駆動する。この駆動モータ８１の駆動により、前記出力ギア８１ｂと伝達ギア８２ｃの噛合関係を介して回動プレート８２は回転駆動され、回動プレート８２に一体的に固定された管状体５５と共に、前記釣糸案内体６０は、スプールの前方において前方に回動駆動される（図７参照）。なお、釣糸案内体の６０の回動量については、釣糸案内部６７に入り込んでいる釣糸Ｓが、規制部６９による規制が外れて開口部６８に移動する程度であれば良い。すなわち、クラッチ機構２０がＯＦＦになったとき、スプール５Ａに対する釣糸の巻回量が多いため、規制部６９の規制が外れることで、釣糸は、直ちに開口部６８に移動することができる。
【００４２】
この状態で、スプール５Ａはフリー回転可能状態となっており、釣糸Ｓは放出される。この場合、釣糸案内体６０は、スプール５Ａの前方において、図７、及び図１１、図１２に示す状態に回動されており、その開口部６８は、左右方向に幅広状に形成されていることから、釣糸放出初期時において、その内面から接触抵抗を受けることが少なくなり、仕掛けの落下速度を低下させることはない。すなわち、釣糸案内体６０は、クラッチ機構と連動してＯＦＦ状態になったとき、釣糸の状態を幅狭の釣糸案内部６７から幅広の開口部６８に移動させるため、釣糸を放出する際に、釣糸案内体６０からの放出抵抗を軽減することが可能となる。
【００４３】
また、このクラッチＯＦＦ状態で釣糸が放出されると、糸長計測装置９２から、スプール５Ａに対する釣糸の放出量（巻回量）の信号が制御部９０に入力される。制御部９０では、予めプログラム化された釣糸の放出量情報を基に、放出中の釣糸が、釣糸案内体６０の開口部６８から釣糸案内部６７に入り込むことがないように、駆動モータ８１を回転駆動する。具体的には、釣糸が放出されると、スプール５Ａに対する釣糸の巻径が次第に少なくなり、放出される釣糸は、図７の矢印Ｄ方向にシフトして、幅狭の釣糸案内部６７に入り込み易くなるが、前記糸長計測装置９２からの信号によって、所定の釣糸繰り出し量（釣糸の巻径）に達したと判断した時、釣糸案内体６０を更に前方に回動駆動することにより、釣糸が幅狭の釣糸案内部６７に入り込むことを防止し、釣糸案内体６０からの糸抵抗を抑制（増加しないように）している。すなわち、糸長計測装置９２からの信号（釣糸繰り出し量）に基づいて駆動モータ８１を駆動することで、スプール５Ａに巻回される釣糸の径の変化に応じて釣糸案内体６０を最適な位置に自動的に設定するため、釣糸放出に伴って糸抵抗が増加するようなことがない。
【００４４】
そして、クラッチ機構２０をＯＮ復帰させるべく、ハンドル８を巻き取り操作すると、前記自動復帰機構３０によって、クラッチプレート２５は、図３に示す位置に自動復帰する。このクラッチプレート２５のＯＮ状態の復帰に伴って、クラッチＯＮ／ＯＦＦ検出装置９４がこれを検知し、制御部９０は、このクラッチＯＮ信号が入力されたことで、駆動モータ８１を逆向きに回転駆動する。この駆動モータ８１の逆転駆動により、前記出力ギア８１ｂと伝達ギア８２ｃの噛合関係を介して回動プレート８２は回転駆動され、回動プレート８２に一体的に固定された管状体５５と共に、前記釣糸案内体６０は、スプールの前方において後方に回動駆動され、図６に示す初期位置に自動で復帰される。
【００４５】
このとき、開口部６８のいずれかの部分に位置している釣糸Ｓは、回動する規制部６９が当て付いて押し付けられ、開口部６８の傾斜案内面６８ａに沿って確実に中央に位置する釣糸案内部６７に案内される。また、図９及び図１０に示すように、釣糸巻き取り状態では、釣糸Ｓは、規制部６９によって釣糸案内部６７から離脱することはない。
【００４６】
以上のように、釣糸案内体６０は、クラッチＯＮ／ＯＦＦ検出装置９４及び駆動モータ８１を介して、クラッチ機構２０と連動して、切り換え動作が成されるため、釣糸放出時では、釣糸は直ちに開口部６８に移動し、釣糸巻き取り時では、直ちに釣糸が釣糸案内部６７に移動するようになり、これにより、釣糸放出初期時の糸抵抗の軽減が図れるとともに、安定した巻き取りを実現することができる。
【００４７】
そして、ハンドル８を巻き取り操作することで、上記したレベルワインド装置５０の螺軸５１は、ハンドル軸８ａに設けられた連結ギア、及びこれに噛合する入力ギア５３を介して回転駆動される。前記螺軸５１が回転駆動されることで、釣糸案内体６０は、螺軸５１の外周面に形成された螺旋溝５１ａと係合する摺動子６１を介して、管状体５５に沿って左右往復動される。この場合、管状体５５の外周には、軸方向に沿って延出する回り止め部５５ｂが形成されているため、釣糸案内体６０は、軸回りに回転することなく、左右に往復駆動される。これにより、釣糸Ｓは、左右方向に幅狭となった釣糸案内部６７によって、スプール５Ａに対して、安定して平行巻きされ、さらには、規制部６９の位置によって、釣糸案内部６７から離脱することもないため、常時、安定した平行巻き状態が確保される。  
なお、スプール５Ａに対する釣糸Ｓの巻回量が少ない場合、例えば、釣糸を多量に放出した状態では、釣糸案内部６７に位置する釣糸Ｓは、規制部６９に接触していなくても良い。
【００４８】
以上、本発明の実施形態について説明したが、本発明は、上記した実施形態に限定されることはなく、種々変形することが可能である。
【００４９】
上記した実施形態では、船釣りに適した形態の魚釣用リールを例示したが、キャスティングに適した形態として構成することも可能である。また、上記した釣糸案内体６０の駆動部は、駆動モータで構成したが、ソレノイドによって構成しても良く、釣糸案内体６０を変位させる変位機構については、糸長計測装置９２やクラッチＯＮ／ＯＦＦ検出装置９４からの検知信号によって駆動モータを駆動する以外にも、手動操作によって任意に駆動モータを駆動して釣糸案内体６０を変位するようにしても良い。例えば、図２に示す表示装置１００に設けられた操作ボタン１０２のいずれかを、釣糸案内体６０の駆動操作ボタンとしておき、これを押圧操作することで、その回動位置を手動操作するようにしても良い。
【００５０】
また、釣糸案内体６０は、クラッチＯＮ／ＯＦＦ検出装置９４によって、クラッチ機構２０と連動するようにしたが、クラッチ機構と連動させることなく、個別に移動するような構成であっても良い。例えば、クラッチＯＦＦ時において、釣糸の巻回量（糸長計測装置９２からの検出信号）やスプール５Ａの釣糸繰り出し方向の回転方向及び回転量（回転情報）に応じて釣糸案内体６０を駆動するような構成であっても良い。なお、釣糸案内体６０を、クラッチ機構２０と連動させる場合、釣糸案内体とクラッチ機構は、機械的に連結されて連動駆動する構成であっても良い。
【００５１】
また、上記した釣糸案内体６０については、その形状を適宜、変形することが可能である。例えば、開口部６８を略三角形状にしたり、略円形状、縦長形状にする等、適宜変形することが可能であり、規制部６９については形成しない構成であっても良い。また、釣糸案内体６０は、釣糸と接触する部分に、耐摩耗性を有すると共に、摺動抵抗の少ない部材（釣糸接触部材）を取着しておいても良い。このような釣糸接触部材を取着しておくことで、釣糸放出時や釣糸巻き取り時に釣糸が接触しても、切れることを防止でき、かつ接触抵抗を更に軽減することが可能となる。
【００５２】
さらに、釣糸案内体６０は、クラッチＯＮ状態で前方に回動させるような構成であっても良い。この場合、釣糸案内体６０を回動するに際しては、管状体５５の外周に、軸方向に延出する突起を設けて回り止めしたが、管状体５５に形成される長孔５５ａのエッジ５５ｅによって回り止めするようにしても良い。
【符号の説明】
【００５３】
１  リール本体
１Ａ，１Ｂ  左右側板
５  スプール軸
５Ａ  スプール
２０  クラッチ機構
５０  レベルワインド装置
５５  管状体
６０  釣糸案内体
６７  釣糸案内部
６８  開口部
６９  規制部
８０  変位機構
８１  駆動モータ
８２  回動プレート
【図１】
2014060955.tif 000003
【図２】
2014060955.tif 000004
【図３】
2014060955.tif 000005
【図４】
2014060955.tif 000006
【図５】
2014060955.tif 000007
【図６】
2014060955.tif 000008
【図７】
2014060955.tif 000009
【図８】
2014060955.tif 000010
【図９】
2014060955.tif 000011
【図１０】
2014060955.tif 000012
【図１１】
2014060955.tif 000013
【図１２】
2014060955.tif 000014